(57)【要約】【課題】本発明は、パリソン肉厚制御設定値を変動させることにより、パリソンの外周面に凹凸状のリングマークを形成させ、従来のペンやスプレー等を用いないようにすることを目的とする。【解決手段】本発明によるパリソンマーキング方法及び肉厚調整装置は、パリソン(10)の肉厚を制御する１サイクル中において、一定間隔毎にその時のパリソン肉厚制御設定値を変動させることにより、パリソン(10)の外周面(10a)に凹凸からなるリングマーク(22)を形成する方法及び構成である。【選択図】図３
2006123410.tif 000002
【特許請求の範囲】
【請求項１】
ダイ(9)に対してコア(7)を可動させることによりダイギャップ(8)から吐出されるパリソン(10)の肉厚を制御する１サイクル中において、一定間隔毎にその時のパリソン肉厚制御設定値を変動させることにより前記パリソン(10)の外周面(10a)に凹凸からなるリングマーク(22)を形成することを特徴とするパリソンマーキング方法。
【請求項２】
前記変動は、所定時間だけその時のパリソン肉厚制御設定値より厚く設定したパリソン肉厚制御設定値とし、直ぐに所定時間だけその時の前記パリソン肉厚制御設定値より薄く設定したパリソン肉厚制御設定値として元に戻すことよりなることを特徴とする請求項１記載のパリソンマーキング方法。
【請求項３】
ダイ(9)に対してコア(7)を可動させることによりダイギャップ(8)から吐出されるパリソン(10)の肉厚を制御するパリソン(10)の肉厚調整装置において、前記肉厚を制御する１サイクル中において、一定間隔毎にその時のパリソン肉厚制御設定値を変動させることにより前記パリソン(10)の外周面(10a)に凹凸からなるリングマーク(22)を形成するように構成したことを特徴とする肉厚調整装置。
【発明の詳細な説明】
【技術分野】
【０００１】
本発明は、パリソンマーキング方法及び肉厚調整装置に関し、特に、パリソン肉厚制御設定値を変動させることにより、パリソンの外周面に凹凸状のリングマークを形成させるための新規な改良に関する。
【背景技術】
【０００２】
従来、用いられていたこの種のパリソンマーキング方法及び肉厚調整装置としては、例えば、特許文献１に開示されたパリソンマーキング制御装置及び特許文献２に開示されたパリソンマーキング装置を挙げることができる。
すなわち、特許文献１に開示されたパリソンマーキング制御装置においては、ダイから吐出されるパリソンの外周に対し、パリソンマーキング機構のペン等でパリソンマーキングを形成させていた。
【０００３】
また、特許文献２に開示されたパリソンマーキング装置においては、パリソンの肉厚を制御するパリソンコントローラの肉厚設定信号が切換わった時、所定時間、マーキング機構に駆動信号を送ってマーキング用スプレーノズルからマーキング剤をパリソンの外周面に塗布し、マーキングを形成していた。
【０００４】
【特許文献１】実開昭５９−１１０６１３号公報
【特許文献２】実開昭５９−１５５１９号公報
【発明の開示】
【発明が解決しようとする課題】
【０００５】
従来のパリソンマーキング方法及び肉厚調整装置は、以上のように構成されていたため、次のような課題が存在していた。
すなわち、従来技術のパリソンマーキング装置として、実用上長く使用できるものに乏しいという問題点がある。即ち、特許文献１の場合、市販のマーキングペン（いわゆる色鉛筆）は消耗品で交換が必要であるし、芯が減るので使用の都度芯のあたり具合の調整が必要である。また、特許文献２の場合、スプレー（あるいはインクジェット等）を用いても、中空成形機のパリソン生成個所近傍はヒーターを使用して２００℃からの樹脂が出てくる所なので詰まり等の問題があり、年に及ぶ使用には全く耐えがたいものであった。
【課題を解決するための手段】
【０００６】
本発明によるパリソンマーキング方法は、ダイに対してコアを可動させることによりダイギャップから吐出されるパリソンの肉厚を制御する１サイクル中において、一定間隔毎にその時のパリソン肉厚制御設定値を変動させることにより前記パリソンの外周面に凹凸からなるリングマークを形成する方法であり、また、前記変動は、所定時間だけその時のパリソン肉厚制御設定値より厚く設定したパリソン肉厚制御設定値とし、直ぐに所定時間だけその時の前記パリソン肉厚制御設定値より薄く設定したパリソン肉厚制御設定値として元に戻すことよりなる方法であり、また、本発明による肉厚調整装置は、ダイに対してコアを可動させることによりダイギャップから吐出されるパリソンの肉厚を制御するパリソンの肉厚調整装置において、前記肉厚を制御する１サイクル中において、一定間隔毎にその時のパリソン肉厚制御設定値を変動させることにより前記パリソンの外周面に凹凸からなるリングマークを形成する構成である。
【発明の効果】
【０００７】
本発明によるパリソンマーキング方法及び肉厚調整装置は、以上のように構成されているため、次のような効果を得ることができる。
すなわち、パリソンの肉厚を制御する１サイクル中において、一定間隔毎にその時のパリソン肉厚制御設定値を変動させることによりパリソンの外周面に凹凸からなるリングマークを形成しているため、従来のように、ペン、ノズル等のマーキング装置としてのハードウェアを用いる必要がなく、従来方法に比較すると、大幅なコストダウン、保守点検の不要、操作簡単、維持費削減となる。
また、このリングマークはパリソンと一体に形成されているため、従来のものより長期間用いることができる。
【発明を実施するための最良の形態】
【０００８】
本発明は、パリソンの肉厚を制御する１サイクル中において、一定間隔毎にその時のパリソン肉厚制御設定値を変動させることによりパリソンの外周面に凹凸からなるリングマークを一体に形成するようにしたパリソンマーキング方法及び肉厚調整装置を提供することを目的とする。
【実施例】
【０００９】
以下、図面と共に本発明によるパリソンマーキング方法及び肉厚調整装置の好適な実施の形態について説明する。
図１は本発明のパリソンマーキング方法及び肉厚調整装置を実現するためのパリソン制御系統図である。図１において１はタッチパネルでパリソン肉厚設定のプロファイル（パリソンの肉厚形状）を設定するもので、２はプロファイルにならってパリソン肉厚演算設定するＣＰＵである。３はサーボ増幅器で、このＣＰＵ３の設定とシリンダ６の位置即ちコア７の位置を検出するコア位置検出器４との信号をつき合わせてサーボ弁５を付勢してシリンダ６即ちコア７を位置制御するものである。パリソン１０は図示されない押出機により押出されてくるが、プロファイル設定とともにコア棒７ａを介して上下動するコア７と位置固定のダイ９との隙間すなわちダイギャップ８を通過して前記設定プロファイルの設定にならい肉厚制御されて出てくる。すなわち、この設定プロファイル１１の値がパリソン肉厚を制御するためのパリソン肉厚制御設定値を形成している。
【００１０】
図２では、その左半分に設定プロファイル１１が示され、右半分には生成されるパリソン１０の断面図が示されて相互の関係を図示している。この設定プロファイル１１の横軸の値はコア７への位置設定となり、値が大きければダイギャップ８も大きくなる。同じく縦軸はパリソン１０の縦方向即ち長さ方向に相当し０％はパリソンの最下部から１００％はパリソンの最上部に相当する。前記設定プロファイル１１と対比させて示すことが、パリソンマーキングの目的である。
【００１１】
図３は、本発明によるパリソンマーキング方法を具体的に示すための一例として５ポイントのパリソンマーキングを行う例である。即ち、図３の左側の矢印「→」記号にて示すように、設定プロファイル１１の縦軸スケールの１０％、３０％、５０％、７０％及び９０％の計５ポイントからなる一定間隔においてパリソンマーキングを行おうとするものである。このタッチパネル１にはこのような５ポイントのパリソンマーキングを選択的に動作指示する機能がそなわっており、その選択を行うとプロファイル上には厚薄微動波形２１が図４に示すように、前記の５ポイントの位置につけ加えられるようになっている。
【００１２】
前述の５ポイント（すなわち、一定間隔毎）において、前記パリソン肉厚制御設定値を変動させると、図３のＡ部が図４に拡大して示されているようにＺ型もしくはＳ型の形状で設定プロファイル１１の一部に変動部２１を形成しており、この変動部２１を伴なった設定プロファイル１１のパリソン肉厚制御設定値で吐出されてくるパリソン１０の肉厚を制御することによって、図３の右側に図示されるパリソン１０の外周面１０ａに一定間隔毎に、凹凸状の輪体からなるリングマーク２２（目視可能）がパリソン１０と一体となって形成される。
【００１３】
前記変動部２１の設定は、一例として、所定時間だけその時のパリソン肉厚制御設定値より厚く設定し、直ぐに所定時間だけその時の前記パリソン肉厚制御設定値より薄く設定して元に戻すと、結果として、図４の変動部２１を有する設定プロファイル１１を作成することができる。
【００１４】
尚、前述の場合、変動部２１を形成するための実際の設定においては、前記所定時間は、極短時間だけのことである。
また、一般的にはパリソン生成において、変動部２１によって形成される微動といえども厚くされたところはパリソンは短く生成され、薄く設定されたところはパリソンは長く生成されるものである。従って、厚薄の微動（厚くして薄くする動作）を与えるのはパリソン長さを、パリソンマーキングを行わない場合に対して、変化させないためである。逆を言えば、パリソン長さが変わらないような微動の与え方を行うものである。
【産業上の利用可能性】
【００１５】
本発明は、パリソンに限らず、パイプを作る際の肉厚制御にも適用可能である。
【図面の簡単な説明】
【００１６】
【図１】本発明によるパリソンマーキング方法に用いる肉厚調整装置を示す構成図である。
【図２】図１の装置を用いて通常のパリソンの肉厚制御を行う場合の構成図である。
【図３】図１の装置を用いてパリソンマーキングを行う場合の構成図である。
【図４】図３のＡ部を示す拡大図である。
【符号の説明】
【００１７】
１    タッチパネル
２    ＣＰＵ
３    サーボ増幅器
４    コア位置検出器
５    サーボ弁
６    シリンダ
７    コア
８    ダイギャップ
９    ダイ
１０    パリソン
１０ａ    外周面
１１    設定プロファイル
２１    変動部
２２    リングマーク
【図１】
2006123410.tif 000003
【図２】
2006123410.tif 000004
【図３】
2006123410.tif 000005
【図４】
2006123410.tif 000006